(57)【特許請求の範囲】
【請求項１】
親局に設置された監視装置と、子局に設置された監視装置と、
その間を接続する回線とにより構成され、前記回線上をサイクリックなデータ転送（ＣＤＴ）により警報データを通知する監視システムにおいて、
前記子局に設置された監視装置は、被監視装置から収集された警報をメッセージデータに変換するメッセージ変換手段と、
警報のメッセージデータに対応するＣＤＴ出力ワード位置を指定するＣＤＴ出力変換テーブルと前記ＣＤＴ出力変換テーブルのテーブルデータを任意に設定・変更可能なテーブル設定部とからなるテーブル作成手段と、
前記メッセージデータと前記警報のメッセージデータとを比較して出力ワード位置を決定するテーブル比較手段と、
前記テーブル比較手段によって比較された結果により、警報データを通知するＣＤＴ送信手段と
を有することを特徴とする監視システム。
【請求項２】
前記テーブル作成手段は、複数の前記警報のメッセージデータを同一のＣＤＴ出力ワード位置に指定することを特徴とする請求項１記載の監視システム。
【請求項３】
前記テーブル作成手段は、複数の前記警報のメッセージデータを同一のＣＤＴ出力ワード位置に指定する場合に、複数の前記警報のメッセージデータ中の互いに異なる部分を比較対象から除外することを特徴とする請求項２記載の監視システム。
【請求項４】
前記テーブル作成手段によって作成された前記ＣＤＴ出力変換テーブルに設定されている出力ワード位置から親局に送信する出力ワードを決定する出力ワード規定手段を有しており、
前記ＣＤＴ送信手段は、前記出力ワード規定手段によって決定された出力ワードを親局に送信して、前記警報データを通知することを特徴とする請求項１記載の監視システム。
【発明の詳細な説明】
【０００１】
【発明の属する技術分野】
本発明は、サイクリックなデータ転送により警報データを通知する監視システムに関する。
【０００２】
【従来の技術】
従来のこの種のサイクリックなデータ転送（以下、ＣＤＴと略記する）により警報データを通知する監視システムの構成を図２に示す。図２において、監視システムは、親局１に設置される監視装置１０と子局２に設置される監視装置２０、及びそれらを接続する回線によって構成されている。
【０００３】
子局２内で収集される被監視装置からの警報は、外部インタフェース部２３においてメッセージデータに変換され、テーブル比較部２２に送られる。テーブル比較部２２では、外部インタフェース部２３から送られてきたメッセージデータを、組み立て先のワード位置毎にメッセージデータを事前に定義しているＣＤＴ変換テーブル２４と比較を行い、組み立て先のワード位置を決定する。
【０００４】
そして、決定したワード位置のデータをＣＤＴ送信部２１から、親局１に設置された監視装置１０のＣＤＴ受信部１１に送信する。送信データは、基本的に１サイクル分の全ワード数（６４ワード、１ワードは１３ビット）が常に出力される。ただし、出力ワード設定部２５により１サイクルのワード数を予め指定しておくことにより、出力ワード数を変更することは可能である。
【０００５】
【発明が解決しようとする課題】
このＣＤＴによる親局と子局との間の情報伝送は、常時サイクリックに行われているが、ＣＤＴ出力ワードへの組立は、警報のメッセージデータ毎に事前に組み立てワードを定義しておいた固定的なＣＤＴ変換テーブルに基づいて行うとともに、常に全ワード（６４ワード）分の全てのテーブルを参照して、ＣＤＴへの組立を行っているため、変換処理に時間を要し、上位のセンター監視装置である親局における発生アラームの認識が遅れるという問題がある。
【０００６】
また、収集する警報の増減に伴い、組み立てワードを指定するテーブルのデータを追加・削除する場合には、送信側と受信側でそれぞれ全ワード分のテーブルを書き換える必要があった。さらに、１回線あたりのＣＤＴ出力全ワードよりも収集される警報の種別が少ない場合には、何も定義されていないワードが出力されることとなり不要なワードを送信することになる。出力ワード設定部２５により出力ワード数を変更することは可能であるが、事前に設定しておく必要があった。
【０００７】
本発明は、ＣＤＴ出力変換テーブルの形式を変更して、テーブルデータを減少させるとともに、ワード単位でテーブルデータを追加・削除する等任意に設定・変更できるようにし、変更したテーブルに合わせて、親局へ出力するワードも変更されるようにすることにより、効率的なＣＤＴ伝送を行わせることを目的とするものである。
【０００８】
【課題を解決するための手段】
本発明は、被監視装置から収集した警報をＣＤＴに組み立てるためのテーブルを、メッセージ内容に対応するワード位置を指定して、警報のメッセージ内容毎に、追加・削除することができるものとし、収集した警報のメッセージとそのテーブルを比較して出力ワード位置を決定する際に、警報メッセージとの比較を行わない指定をテーブルデータのメッセージデータ中に追加するとともに、テーブルに定義されたワード位置から送信するワードを決定する手段を有している。
【０００９】
【発明の実施の形態】
図１は、本発明に係わる監視システムの実施の形態を示すブロック図である。図１に示す本発明監視システムが図２に示す従来のシステムと異なる点は、警報のメッセージ内容に対応したワード位置を指定するＣＤＴ出力変換テーブルを設定するテーブル設定部と、ＣＤＴ出力変換テーブルの設定状態に合わせてＣＤＴ出力を行うワードを決定する出力ワード規定部を設けた点である。なお、図２に示した従来のシステムと同一の要素には、同一の参照番号が付されている。
【００１０】
図１において、監視システムは、親局１に設置された監視装置１０と子局２に設置された監視装置２０とから構成され、監視装置１０と監視装置２０の間は回線で接続されていて、子局２で収集された警報はＣＤＴにより親局１に通知される。
【００１１】
監視装置２０において被監視装置から収集された警報は、外部インタフェース部２３でメッセージデータに変換される。変換されたメッセージデータは、テーブル比較部２２においてＣＤＴ出力変換テーブル２４と比較され、出力ワード位置が決定される。ＣＤＴ出力変換テーブルの内容は、テーブル設定部２６により設定され、必要に応じて適宜テーブルデータの追加、削除を行うことができるようになっている。
【００１２】
テーブル設定部２６により設定されるテーブルデータは、図３に示すとおり、外部インタフェース部２３から送られてくる警報のメッセージデータと、ＣＤＴ出力として組み立てられるワード位置を指定する形式となっており、メッセージデータの種類毎にＣＤＴ出力変換テーブル２４に追加していく。
【００１３】
その際、一つのＣＤＴ出力位置に複数の警報のメッセージデータを縮退させる場合には、複数（例えば３個）のメッセージデータＡＡＡ・・・ＡＡ，ＢＢＢ・・・ＢＢ，ＣＣＣ・・・ＣＣに対して、それぞれ同一の組み立てワード位置（ＣＤＴ出力位置）を指定することで対応する。
【００１４】
ただし、このままではメッセージデータの種類だけテーブルデータが必要となり、テーブルデータが多くなって比較、変換処理に時間がかかるので、本発明においては更に、縮退する場合に、メッセージ中の共通する部分のみを比較対象とする指定を行うことによってテーブルデータの数を減少させることができるようになっている。例えば、図３に示されているように、異なる警報メッセージデータＡＡＡＤＤＤＥＥＥ・・・ＥＥ，ＢＢＢＤＤＤＥＥＥ・・・ＥＥ，ＣＣＣＤＤＤＥＥＥ・・・ＥＥを、一つのＣＤＴ出力位置に縮退させる場合には、この３つの警報メッセージデータの共通する部分「ＤＤＤＥＥＥ・・・ＥＥ」をメッセージデータとして採用し、互いに異なる部分「ＡＡＡ」、「ＢＢＢ」、「ＣＣＣ」は比較対象から除外する指定を行うことによって３つの警報メッセージを１つのテーブルとすることができる。
【００１５】
テーブル比較部２２によって比較された結果により、ＣＤＴ送信部２１から親局１の監視装置１０に設けられたＣＤＴ受信部に対して警報が転送される。このＣＤＴ送信部２１から送信するＣＤＴのワードは、出力ワード規定部２７により決定される。出力ワード規定部２７は、ＣＤＴ出力変換テーブル２４に定義されているテーブルデータから、出力ワードを決定する。即ち、出力ワード規定部２７は、ＣＤＴ出力変換テーブル２４にテーブルが設定されているデータの出力ワード位置を参照し、出力ワード位置として指定されているワードだけを、ＣＤＴ送信部２１に設定する。
【００１６】
ＣＤＴ送信部２１は、１サイクル分の全ワードを出力するのではなく、出力ワード規定部２７によって設定されたワードのみを１サイクルとして親局１側に送信して、警報を通知するようになっている。
【００１７】
一方、親局側にも同様のＣＤＴ出力変換テーブル及びテーブル設定部が備えられており、子局側に合わせてＣＤＴ出力変換テーブルが作成されているので、子局側から送信された前記出力ワード規定部２７によって設定されたワードからなる１サイクル分のＣＤＴデータからメッセージデータが得られ、それに基づいて警報認識が行われる。
【００１８】
【発明の効果】
本発明は、警報のメッセージに対応するワード位置を指定するＣＤＴ出力変換テーブルを作成するテーブル設定部を設け、被監視装置から収集する警報の増減に対して、全ワードのデータを更新するのではなく、該当する警報のデータのみをＣＤＴ出力変換テーブルに追加・削除することにより、警報データの変更あるいは更新に柔軟に対応することができる。また、必要に応じて警報メッセージの縮退化あるいは、縮退化と同時に比較対象となるテーブル数を減少させることもできる。
【００１９】
さらに、ＣＤＴ出力変換テーブルに設定されているデータの出力ワード位置を参照し、出力ワード位置として指定されているワードだけを、ＣＤＴ送信部２１に設定しているので、不要なワードは送信されず、効率のよいＣＤＴデータ転送が可能となる。
【００２０】
【図面の簡単な説明】
【図１】本発明によるＣＤＴデータ転送方式の実施の形態を示すブロック図である。
【図２】従来例を示すブロック図である。
【図３】本発明によるＣＤＴ出力変換テーブルデータの設定方法を説明する図である。
【符号の説明】
１    親局
２    子局
１０    親局側監視装置
１１    ＣＤＴ受信部
２０    子局側監視装置
２１    ＣＤＴ送信部
２２    テーブル比較部
２３    外部インタフェース部
２４    ＣＤＴ出力変換テーブル
２５    出力ワード設定部
２６    テーブル設定部
２７    出力ワード規定部
【図１】
0003616471.tif 000002
【図２】
0003616471.tif 000003
【図３】
0003616471.tif 000004